(57)【要約】【課題】脱ぷローラ３０の脱レリ圧調節操作性を向上でき、脱ぷローラ３０の脱ぷ機能を適正に維持できるようにした穀物調整装置を提供しようとするものである。【解決手段】ベルト伝達機構２９を介して駆動する一対の脱ぷローラ３０と、一方の脱ぷローラ３０に対してもう一方の脱ぷローラ３０を接離させる脱ぷリンク機構９２を備え、前記各脱ぷローラ３０にて籾から籾殻を取除いて玄米に仕上げる穀物調整装置において、脱ぷリンク機構９２に前記ベルト伝達機構２９のテンション調節部材１１９を連結させ、脱ぷリンク機構９２の脱レリ圧調節操作にてベルト伝達機構２９のテンションを調節可能に構成したものである。【選択図】図１８
2015058389.tif 000002
【特許請求の範囲】
【請求項１】
ベルト伝達機構を介して駆動する一対の脱ぷローラと、一方の脱ぷローラに対してもう一方の脱ぷローラを接離させる脱ぷリンク機構を備え、前記各脱ぷローラにて籾から籾殻を取除いて玄米に仕上げる穀物調整装置において、
前記脱ぷリンク機構に前記ベルト伝達機構のテンション調節部材を連結させ、前記脱ぷリンク機構の脱ぷ圧調節操作にて前記ベルト伝達機構のテンションを調節可能に構成したことを特徴とする穀物調整装置。
【請求項２】
前記テンション調節部材としてテンションプーリとテンションアームとテンション調節ロッドを備え、前記テンションアームにテンション調節ロッドの一端側を連結させると共に、前記テンション調節ロッドの他端側に、操作リンク体を介してテンション操作ロッドの一端側を連結させ、前記テンション操作ロッドの他端側に前記脱ぷリンク機構を連結させたことを特徴とする請求項１に記載の穀物調整装置。
【請求項３】
伸縮可能な前記テンション調節ロッドにテンションバネを巻装して、前記テンションバネ力にて前記テンションアームを弾圧可能に構成したことを特徴とする請求項１に記載の穀物調整装置。
【請求項４】
乾燥させた籾を搬入する投入台と、前記籾から石などを除去する石抜き機と、前記籾から籾殻を取除いて玄米に仕上げる籾摺機と、前記玄米から糠を取除いて白米にする精米機を備え、前記籾から石などを除去して、籾摺及び精米する構造であって、前記投入台、前記石抜き機、前記籾摺機をそれぞれ設置する複数の機台フレーム体を備え、前記各機台フレーム体を分離可能に連結したことを特徴とする請求項１に記載の穀物調整装置。
【請求項５】
前記機台フレーム体として、投入台用機台フレーム体と、石抜き機用機台フレーム体と、籾摺精米用機台フレーム体と、原動機用機台フレーム体を有し、前記投入台用機台フレーム体と前記石抜き機用機台フレーム体とを投入昇降機用機台フレーム体にて分離可能に連結したことを特徴とする請求項４に記載の穀物調整装置。
【請求項６】
投入台用機台フレーム体に前記投入台を載置し、石抜き機用機台フレーム体に前記石抜き機を載置し、籾摺精米用機台フレーム体に前記籾摺機と精米機を載置し、投入昇降機用機台フレーム体上の投入昇降機を前記石抜き機側に連結すると共に、石抜き機用機台フレーム体と籾摺精米用機台フレーム体とを調整昇降機用機台フレーム体にて分離可能に連結し、調整昇降機用機台フレーム体上の調整昇降機を籾摺機側に連結したことを特徴とする請求項４に記載の穀物調整装置。
【請求項７】
平面的に形成した前記投入台の上面に衝立体を立設させ、前記投入台上面に開口した投入開口を衝立体にて囲むように構成したことを特徴とする請求項４に記載の穀物調整装置。
【発明の詳細な説明】
【技術分野】
【０００１】
本願発明は、予め乾燥させた籾を籾摺して玄米に形成する穀物調整装置に関するものである。
【背景技術】
【０００２】
従来、予め乾燥させた籾を搬入する投入台と、前記籾から石などを除去する石抜き機と、前記籾から籾殻を取除いて玄米に仕上げる籾摺機と、前記玄米から糠を取除いて白米にする精米機を備え、前記籾から石などを除去して、籾摺及び精米する技術がある（特許文献１参照）。
【先行技術文献】
【特許文献】
【０００３】
【特許文献１】特開平８−８９８２３号公報
【発明の概要】
【発明が解決しようとする課題】
【０００４】
ところで、特許文献１の従来技術では、投入台、風選機、昇降機、石抜き機、籾摺機、精米機などを設置する場合、例えば風選機などの有無または昇降機の仕様などに応じて、それらの配置場所を構築する必要があるが、基礎工事を簡略化すると、それらの連結精度を容易に確保できないから、設備コストを簡単に低減できない等の問題がある。また、投入台の上面を平面的に形成した場合、投入台を低コストに構成できるが、投入台上面に供給される籾が周辺から周囲に飛散しやすい等の問題がある。
【０００５】
そこで、本願発明は、これらの現状を検討して改善を施した穀物調整装置を提供しようとするものである。
【課題を解決するための手段】
【０００６】
請求項１の発明は、ベルト伝達機構を介して駆動する一対の脱ぷローラと、一方の脱ぷローラに対してもう一方の脱ぷローラを接離させる脱ぷリンク機構を備え、前記各脱ぷローラにて籾から籾殻を取除いて玄米に仕上げる穀物調整装置において、前記脱ぷリンク機構に前記ベルト伝達機構のテンション調節部材を連結させ、前記脱ぷリンク機構の脱ぷ圧調節操作にて前記ベルト伝達機構のテンションを調節可能に構成したものである。
【０００７】
請求項２の発明は、請求項１に記載した穀物調整装置において、前記テンション調節部材としてテンションプーリとテンションアームとテンション調節ロッドを備え、前記テンションアームにテンション調節ロッドの一端側を連結させると共に、前記テンション調節ロッドの他端側に、操作リンク体を介してテンション操作ロッドの一端側を連結させ、前記テンション操作ロッドの他端側に前記脱ぷリンク機構を連結させたものである。
【０００８】
請求項３の発明は、請求項１に記載した穀物調整装置において、伸縮可能な前記テンション調節ロッドにテンションバネを巻装して、前記テンションバネ力にて前記テンションアームを弾圧可能に構成したものである。
【０００９】
請求項４の発明は、請求項１に記載した穀物調整装置において、乾燥させた籾を搬入する投入台と、前記籾から石などを除去する石抜き機と、前記籾から籾殻を取除いて玄米に仕上げる籾摺機と、前記玄米から糠を取除いて白米にする精米機を備え、前記籾から石などを除去して、籾摺及び精米する構造であって、前記投入台、前記石抜き機、前記籾摺機をそれぞれ設置する複数の機台フレーム体を備え、前記各機台フレーム体を分離可能に連結したものである。
【００１０】
請求項５の発明は、請求項４に記載した穀物調整装置において、前記機台フレーム体として、投入台用機台フレーム体と、石抜き機用機台フレーム体と、籾摺精米用機台フレーム体と、原動機用機台フレーム体を有し、前記投入台用機台フレーム体と前記石抜き機用機台フレーム体とを投入昇降機用機台フレーム体にて分離可能に連結したものである。
【００１１】
請求項６の発明は、請求項４に記載した穀物調整装置において、投入台用機台フレーム体に前記投入台を載置し、石抜き機用機台フレーム体に前記石抜き機を載置し、籾摺精米用機台フレーム体に前記籾摺機と精米機を載置し、投入昇降機用機台フレーム体上の投入昇降機を前記石抜き機側に連結すると共に、石抜き機用機台フレーム体と籾摺精米用機台フレーム体とを調整昇降機用機台フレーム体にて分離可能に連結し、調整昇降機用機台フレーム体上の調整昇降機を籾摺機側に連結したものである。
【００１２】
請求項７の発明は、請求項４に記載した穀物調整装置において、平面的に形成した前記投入台の上面に衝立体を立設させ、前記投入台上面に開口した投入開口を衝立体にて囲むように構成したものである。
【発明の効果】
【００１３】
請求項１の発明によると、ベルト伝達機構を介して駆動する一対の脱ぷローラと、一方の脱ぷローラに対してもう一方の脱ぷローラを接離させる脱ぷリンク機構を備え、前記各脱ぷローラにて籾から籾殻を取除いて玄米に仕上げる穀物調整装置において、前記脱ぷリンク機構に前記ベルト伝達機構のテンション調節部材を連結させ、前記脱ぷリンク機構の脱ぷ圧調節操作にて前記ベルト伝達機構のテンションを調節可能に構成したものであるから、前記ベルト伝達機構のテンションを一定に保ちながら前記脱ぷローラの脱ぷ圧を調節できる。前記脱ぷローラの脱ぷ圧を調節操作するときに、それに対応して、前記テンション調節部材を操作する必要がない。脱ぷ圧調節操作性を向上できる。前記テンション調節部材の操作を忘れるなどの不具合をなくし、前記脱ぷローラの脱ぷ機能を適正に維持できる。
【００１４】
請求項２の発明によると、前記テンション調節部材としてテンションプーリとテンションアームとテンション調節ロッドを備え、前記テンションアームにテンション調節ロッドの一端側を連結させると共に、前記テンション調節ロッドの他端側に、操作リンク体を介してテンション操作ロッドの一端側を連結させ、前記テンション操作ロッドの他端側に前記脱ぷリンク機構を連結させたものであるから、前記テンション操作ロッドと操作リンク体にて、前記ベルト伝達機構のテンション調節と、前記脱ぷローラの脱ぷ圧調節を連動させる構造を簡単に構成できる。
【００１５】
請求項３の発明によると、伸縮可能な前記テンション調節ロッドにテンションバネを巻装して、前記テンションバネ力にて前記テンションアームを弾圧可能に構成したものであるから、前記ベルト伝達機構のベルト緊張力をテンションバネにて安定して得ることができ、経時的なベルトの伸長などにも容易に対処できる。
【００１６】
請求項４の発明によると、乾燥させた籾を搬入する投入台と、前記籾から石などを除去する石抜き機と、前記籾から籾殻を取除いて玄米に仕上げる籾摺機と、前記玄米から糠を取除いて白米にする精米機を備え、前記籾から石などを除去して、籾摺及び精米する構造であって、前記投入台、前記石抜き機、前記籾摺機をそれぞれ設置する複数の機台フレーム体を備え、前記各機台フレーム体を分離可能に連結したものであるから、前記投入台、前記石抜き機、前記籾摺機、前記精米機などを設置する場合、例えば風選機などの有無または昇降機の仕様などに応じて、前記各機台フレーム体を組合せることによって、前記投入台、前記石抜き機、前記籾摺機などの配置場所を簡単に構築できる。また、それらの連結精度を容易に確保でき、穀物調整設備コストを簡単に低減できる。
【００１７】
請求項５の発明によると、前記機台フレーム体として、投入台用機台フレーム体と、石抜き機用機台フレーム体と、籾摺精米用機台フレーム体と、原動機用機台フレーム体を有し、前記投入台用機台フレーム体と前記石抜き機用機台フレーム体とを投入昇降機用機台フレーム体にて分離可能に連結したものであるから、前記投入台の籾を前記石抜き機に搬入するための投入昇降機などの仕様を、例えば風選機の有無などによって変更しても、投入台用ベース体と石抜き機用機台フレーム体と籾摺精米用機台フレーム体は共用できると共に、前記投入台、前記石抜き機、前記籾摺機などを低コストかつ高精度に設置できる。前記原動機用機台フレーム体の仕様を変更して、エンジンまたは電動モータのいずれか一方を選択して搭載できる。
【００１８】
請求項６の発明によると、投入台用機台フレーム体に前記投入台を載置し、石抜き機用機台フレーム体に前記石抜き機を載置し、籾摺精米用機台フレーム体に前記籾摺機と精米機を載置し、投入昇降機用機台フレーム体上の投入昇降機を前記石抜き機側に連結すると共に、石抜き機用機台フレーム体と籾摺精米用機台フレーム体とを調整昇降機用機台フレーム体にて分離可能に連結し、調整昇降機用機台フレーム体上の調整昇降機を籾摺機側に連結したものであるから、前記各機台フレーム体を連結することによって、前記投入台、前記石抜き機、前記籾摺機と精米機を所定位置に適正に配置できる。また、前記投入昇降機を介して前記投入台から石抜き機に籾を簡単に供給でき、前記調整昇降機を介して前記石抜き機から籾摺機に籾を容易に供給できる。即ち、穀物調整設備を簡単に設置できるものでありながら、前記投入台に籾を搬入する作業と、前記精米機から白米を取出す作業によって、籾摺精米作業を連続的に実行でき、穀物調整作業を容易に省力化できる。
【００１９】
請求項７の発明によると、平面的に形成した前記投入台の上面に衝立体を立設させ、前記投入台上面に開口した投入開口を衝立体にて囲むように構成したものであるから、前記投入台の上面を平面的に形成して、前記投入台を低コストに構成できるものでありながら、前記投入台上面に供給される籾が周囲に飛散するのを前記衝立体にて容易に防止でき、穀物投入作業能率を向上できる。
【図面の簡単な説明】
【００２０】
【図１】全体の斜視図である。
【図２】同正面図である。
【図３】同背面図である。
【図４】同駆動部の説明図である。
【図５】籾を投入する側の投入台の斜視図である。
【図６】投入昇降機を設置する側の投入台の斜視図である。
【図７】機台フレーム体の全体の斜視図である。
【図８】図１３の分解説明図である。
【図９】図５の変形例を示す投入台の斜視図である。
【図１０】籾摺機の左側面図である。
【図１１】同右側面図である。
【図１２】同平面図である。
【図１３】同背面図である。
【図１４】同断面説明図である。
【図１５】脱ぷローラ駆動部の説明図である。
【図１６】脱ぷローラ調節部の説明図である。
【図１７】脱ぷローラ部の籾摺り説明図である。
【図１８】脱ぷローラ駆動部の拡大説明図である。
【図１９】脱ぷローラ調節部の正面視斜視図である。
【図２０】脱ぷローラ調節部の背面視斜視図である。
【発明を実施するための形態】
【００２１】
以下、本願発明に係る穀物調整装置を具体化した実施形態を図面に基づいて説明する。図１は全体の斜視図、図２は同正面図、図３は同背面図、図４は同駆動部の説明図である。図１〜図３に示す如く、予め乾燥させた籾を搬入する投入台１と、前記籾から藁屑などの軽い混合異物を除去する粗選別用の風選機２と、前記籾から石などの重い混合異物を除去する粗選別用の石抜き機３と、前記籾から籾殻を取除いて玄米に仕上げる籾摺機４と、前記玄米から糠を取除いて白米にする精米機５と、各部を駆動するエンジン６を備える。
【００２２】
図１〜図３に示す如く、石抜き機３の上面側に風選機２を載置し、二段積み状の風選機２及び石抜き機３と投入台１との間に投入昇降機７を立設させている。なお、風選機２に投入昇降機７の上端側を支持枠体１２にて連結している。籾袋を携帯した作業者が踏み台板８を介して投入台１上面に上り、投入台１上面の投入開口９から投入受入ホッパ１０に籾袋の籾を投入する。また、投入受入ホッパ１０から風選機２上面の風選受入ホッパ１１に籾が投入昇降機７にて搬入され、風選機２にて藁屑などの軽い混合異物が籾から除去されると共に、石抜き機３にて籾から石などの重い混合異物が除去されるように構成している。
【００２３】
また、図１〜図３に示す如く、精米機５の上面側に籾摺機４を載置し、二段積み状の籾摺機４及び精米機５と、二段積み状の風選機２及び石抜き機３との間に、調整昇降機１３を立設させている。なお、籾摺機４上側の籾投入ホッパ１４に投入昇降機７の上端側を支持枠体１５にて連結している。風選機２及び石抜き機３にて選別された籾は、調整昇降機１３にて籾投入ホッパ１４から籾摺機４に投入され、籾摺機４の脱ぷローラ（図示省略）にて脱ぷされる。また、籾摺機４から取出された玄米は、精米機５にて糠が取除かれ、精米機５の整粒出口１６から白米が取出される。
【００２４】
前記投入昇降機７は、下段コンベヤケース７ａと、中段コンベヤケース７ｂと、上段コンベヤケース７ｃを有する。下段コンベヤケース７ａの上端に中段コンベヤケース７ｂの下端を着脱可能に固着し、中段コンベヤケース７ｂの上端に上段コンベヤケース７ｃの下端を着脱可能に固着している。投入台１側の中段コンベヤケース７ｂと上段コンベヤケース７ｃの側面に詰り確認窓１７をそれぞれ形成し、各詰り確認窓１７から各ケース７ｂ、７ｃ内部の籾詰り状況を、投入台１上の作業者がそれぞれ目視できるように構成すると共に、中段コンベヤケース７ｂと上段コンベヤケース７ｃの接合部に支持枠体１２が連結される。
【００２５】
また、前記と同様に、調整昇降機１３は、下段コンベヤケース１３ａと、中段コンベヤケース１３ｂと、上段コンベヤケース１３ｃを有する。下段コンベヤケース１３ａの上端に中段コンベヤケース１３ｂの下端を着脱可能に固着し、中段コンベヤケース１３ｂの上端に上段コンベヤケース１３ｃの下端を着脱可能に固着している。中段コンベヤケース１３ｂと上段コンベヤケース１３ｃの接合部に支持枠体１５が連結される。なお、投入昇降機７と調整昇降機１３は、同一の仕様にて構成している。
【００２６】
図２〜図４を参照して、エンジン６を駆動源とする伝動構造を説明する。エンジン６の出力プーリ２１に精米機５用の精米駆動プーリ２２を、クラッチ兼用テンションプーリ２３及び籾摺駆動ベルト２４を介して連結し、籾摺機４の籾殻を排出するための唐箕ファン２５用のファン駆動プーリ２６に精米駆動プーリ２２をベルト２７連結している。また、籾摺機４の一方の脱ぷローラ３０用の脱ぷ駆動プーリ２８にファン駆動プーリ２６を選別駆動ベルト２７にて連結すると共に、他方の脱ぷローラ３０用の脱ぷ従動プーリ３１に脱ぷ駆動プーリ２８を脱ぷ駆動ベルト２９にて連結している。
【００２７】
さらに、図２〜図４に示す如く、エンジン６の出力プーリ２１に入力側カウンタプーリ３２を、クラッチ兼用テンションプーリ３３及びベルト３４を介して連結する。また、入力側カウンタプーリ３２と同軸上に設けた出力側カウンタプーリ３５に、石抜き機３用の石抜き駆動プーリ３６と分岐プーリ３７をベルト３８連結すると共に、風選機２用の風選駆動プーリ３９に分岐プーリ３７をベルト４０連結する。一方、分岐プーリ３７に伝動プーリ４１をベルト４２連結し、投入昇降機７の投入駆動プーリ４３と、調整昇降機１３の調整駆動プーリ４４とに、各ベルト４５，４６を介して伝動プーリ４１を連結している。
【００２８】
上記の構成により、クラッチ兼用テンションプーリ２３を入り操作して、ベルト２４を介して精米機５と籾摺機４にエンジン６の出力回転を伝達し、精米機５と籾摺機４を作動させる一方、クラッチ兼用テンションプーリ３３を入り操作して、ベルト３４を介して石抜き機３と風選機２と各昇降機７，１３にエンジン６の出力回転を伝達し、石抜き機３と風選機２と各昇降機７，１３を作動させる。
【００２９】
各クラッチ兼用テンションプーリ２３，３３がそれぞれ軸支される各テンションアーム（図示省略）は、クラッチレバー４７に連結されている。エンジン６を作動させて籾の調整作業を開始するとき、オペレータがクラッチレバー４７を操作し、クラッチ切り位置のクラッチレバー４７をクラッチ入り位置に移行させることにより、先ず、クラッチ兼用テンションプーリ２３が入り作動して、精米機５と籾摺機４が作動する一方、その後、クラッチ兼用テンションプーリ３３が入り作動して、石抜き機３と風選機２と各昇降機７，１３が作動し、投入台１に供給された籾が、風選機２から石抜き機３に移動した後、籾摺機４から精米機５に移動して、整粒出口１６から白米が取出される。
【００３０】
図５、図６を参照して、投入台１の構造を説明する。投入台１の上面である天板体１ａを平面的に形成し、投入台１の上面に衝立体５０を立設させる。衝立体５０は、一対の短尺面板５１，５２と、長尺面板５３と、一対のコーナ面板５４とを有する。長尺面板５３の両端側に一対のコーナ面板５４を介して一対の短尺面板５１，５２を連結し、平面視コ形状の衝立体５０を形成する。一対のコーナ面板５４の下端側に切欠き部５５をそれぞれ形成し、天板体１ａの角隅部に切欠き部５５を嵌合させる。天板体１ａの側端縁に一対の短尺面板５１，５２と長尺面板５３を垂直に立設させ、天板体１ａの上面に一対のコーナ面板５４の下端を当接させる。一対の短尺面板５１，５２と長尺面板５３の下端側を、天板体１ａの側面にボルト５６締結する。したがって、天板体１ａの角隅部と一対のコーナ面板５４の下端の当接により、衝立体５０の折り曲げ角度を９０度よりも大きく形成でき、短尺面板５１，５２と長尺面板５３の接合部に堆積する籾量を低減できると共に、天板体１ａに締結する衝立体５０の組立作業性を向上できる。
【００３１】
図１、図５、図６に示す如く、投入台１の上面（天板体１ａ）のうち、踏み台板８設置側と反対側の上面に片寄らせて投入開口９を形成すると共に、投入昇降機７が配置された側の天板体１ａの側端縁に長尺面板５３を立設させ、投入台１上面に開口した投入開口９の三方を衝立体５０にて囲むように構成している。即ち、籾袋を持った作業者が踏み台板８から天板体１ａ上面に乗り、その籾袋の籾を投入開口９に投入するとき、投入開口９に投入される籾が天板体１ａから周囲に飛散するのを衝立体５０にて防止できる。
【００３２】
図７、図８を参照して、投入台１、石抜き機３、籾摺機４などを設置する機台６０の構造を説明する。機台６０は、投入台１を載置する投入台用機台フレーム体６１と、風選機２及び石抜き機３を多層状に載置する石抜き機用機台フレーム体６２と、籾摺機４と精米機５を多層状に載置する籾摺精米用機台フレーム体６３と、投入昇降機７を立設させる投入昇降機用機台フレーム体６４と、調整昇降機１３を立設させる調整昇降機用機台フレーム体６５と、エンジン６を載置する原動機用機台フレーム体６６を有する。
【００３３】
図７、図８に示す如く、投入台１、石抜き機３、籾摺機４をそれぞれ設置する複数の機台フレーム体６１，６２，６３を備え、各昇降機用機台フレーム体６４，６５を介して他の各機台フレーム体６１，６２，６３を分離可能に連結している。投入台用機台フレーム体６１から突設した連結板体６７に昇降機用機台フレーム体６４の一端側をボルト６８締結し、石抜き機用機台フレーム体６２から突設した連結板体６９に昇降機用機台フレーム体６４の他端側をボルト７０締結する。即ち、投入台用機台フレーム体６１と石抜き機用機台フレーム体６２とを、投入昇降機用機台フレーム体６４にて、分離可能に連結している。
【００３４】
また、石抜き機用機台フレーム体６２から突設した連結板体７１に調整昇降機用機台フレーム体６５の一端側をボルト７２締結し、籾摺精米用機台フレーム体６３から突設した連結板体７３に調整昇降機用機台フレーム体６５の他端側をボルト７４締結する。即ち、石抜き機用機台フレーム体６２と籾摺精米用機台フレーム体６３とを、調整昇降機用機台フレーム体６５にて、分離可能に連結している。
【００３５】
さらに、石抜き機用機台フレーム体６２と籾摺精米用機台フレーム体６３に、原動機用機台フレーム体６６をそれぞれ分離可能にボルト７５，７６締結している。なお、投入昇降機用機台フレーム体６４上の投入昇降機７を支持枠体１２にて石抜き機３側に連結すると共に、調整昇降機用機台フレーム体６５上の調整昇降機１３を支持枠体１５にて籾摺機４側に連結している。
【００３６】
図９は、投入台１の第２実施形態を示すものであり、天板体１ａの周縁部が最も高くなり、投入開口９の周縁部が最も低くなるように、天板体１ａの上面を傾斜させて形成している。即ち、図１１の扁平な上面の天板体１ａ構造に比べ、籾袋から取出した籾が、天板体１ａ上面の傾斜によって、投入開口９に向けて滑落しやすくなり、投入開口９内に籾を投入する作業性を向上できる。
【００３７】
図１〜図３、図７、図８に示す如く、乾燥させた籾を搬入する投入台１と、前記籾から石などを除去する石抜き機３と、前記籾から籾殻を取除いて玄米に仕上げる籾摺機４と、前記玄米から糠を取除いて白米にする精米機５を備え、前記籾から石などを除去して、籾摺及び精米する穀物調整装置において、投入台１、石抜き機３、籾摺機４をそれぞれ設置する複数の機台フレーム体６１，６２，６３を備え、各機台フレーム体６１，６２，６３を分離可能に連結している。したがって、投入台１、石抜き機３、籾摺機４、精米機５などを設置する場合、例えば風選機２などの有無または昇降機７，１３の仕様などに応じて、各機台フレーム体６１，６２，６３を組合せることによって、投入台１、石抜き機３、籾摺機４などの配置場所を簡単に構築できる。また、それらの連結精度を容易に確保でき、穀物調整設備コストを簡単に低減できる。
【００３８】
図１〜図３、図７、図８に示す如く、機台６０として、投入台用機台フレーム体６１と、石抜き機用機台フレーム体６２と、籾摺精米用機台フレーム体６３と、原動機用機台フレーム体６６を有し、投入台用機台フレーム体６１と石抜き機用機台フレーム体６２とを投入昇降機用機台フレーム体６４にて分離可能に連結している。したがって、投入台１の籾を石抜き機３に搬入するための投入昇降機７などの仕様を、例えば風選機２の有無などによって変更しても、投入台用機台フレーム体６１と石抜き機用機台フレーム体６２と籾摺精米用機台フレーム体６３は共用できると共に、投入台１、石抜き機３、籾摺機４などを低コストかつ高精度に設置できる。原動機用機台フレーム体６６の仕様を変更して、エンジン６または電動モータのいずれか一方を選択して搭載できる。
【００３９】
図１〜図３、図７、図８に示す如く、投入台用機台フレーム体６１に投入台１を載置し、石抜き機用機台フレーム体６２に石抜き機３を載置し、籾摺精米用機台フレーム体６３に籾摺機４と精米機５を載置し、投入昇降機用機台フレーム体６４上の投入昇降機７を石抜き機３側に連結すると共に、石抜き機用機台フレーム体６２と籾摺精米用機台フレーム体６３とを調整昇降機用機台フレーム体６５にて分離可能に連結し、調整昇降機用機台フレーム体６５上の調整昇降機１３を籾摺機側に連結している。したがって、各機台フレーム体６１〜６５を連結することによって、投入台１、石抜き機３、籾摺機４と精米機５を所定位置に適正に配置できる。また、投入昇降機７を介して投入台１から石抜き機３に籾を簡単に供給でき、調整昇降機１３を介して石抜き機３から籾摺機４に籾を容易に供給できる。即ち、穀物調整設備を簡単に設置できるものでありながら、投入台１に籾を搬入する作業と、精米機５から白米を取出す作業によって、籾摺精米作業を連続的に実行でき、穀物調整作業を容易に省力化できる。
【００４０】
図５、図６に示す如く、平面的に形成した投入台１の上面に衝立体５０を立設させ、投入台１上面に開口した投入開口９を衝立体５０にて囲むように構成している。したがって、投入台１の上面を平面的に形成して、投入台１を低コストに構成できるものでありながら、投入台１上面に供給される籾が周囲に飛散するのを衝立体５０にて容易に防止でき、穀物投入作業能率を向上できる。
【００４１】
次に、図１０〜図２０を参照して、籾摺機４の構造を説明する。図１０〜図１７に示す如く、籾摺機４は、一対の脱ぷローラ３０を配置する脱ぷケース８０と、唐箕ファン２５と選別風路８２を設ける選別ケース８１を備える。選別ケース８１に脱ぷケース８０を載置し、脱ぷケース８０上面側に整流ケース８３を介して籾投入ホッパ１４を載置している。整流ケース８３には、籾投入ホッパ１４の籾出口を開閉する開閉シャッタ８４と、籾投入ホッパ１４の籾出口から開閉シャッタ８４を介して落下する籾の流下量を調節する調節板体８５及び等速ロール８６と、調節板体８５及び等速ロール８６間から落下する籾を一対の脱ぷローラ３０間に案内する案内シュート体８７と、案内シュート体８７上の籾の飛散を防止する流下ガイド体８８が配置される。
【００４２】
また、調節板体８５の傾斜角度を変更する流下量調節つまみ８９を備え、流下量調節つまみ８９を操作して、等速ロール８６に調節板体８５を接離させると共に、調節板体８５の傾斜下端側に流下ガイド体８８を連結させ、案内シュート体８７に流下ガイド体８８を対向配置させる。即ち、開閉シャッタ８４を開放させ、調節板体８５と等速ロール８６の間、並びに案内シュート体８７と流下ガイド体８８の間を介して、籾投入ホッパ１４内の籾を一対の脱ぷローラ３０間に送出し、脱ぷローラ３０にて脱ぷした玄米と籾殻を、選別風路８２にて玄米と籾殻に分離させ、唐箕ファン２５にて前記籾殻を機外に放出させる一方、精米機５に前記玄米を投入して精米する。
【００４３】
さらに、図１３、図１５〜図２０に示す如く、脱ぷケース８０に固定軸９１を介して一方の脱ぷローラ３０を回動可能に軸支すると共に、一対の脱ぷローラ３０の籾摺り間隔（脱ぷ圧力）を調節する脱ぷ圧調節アーム９２を備え、脱ぷケース８０に脱ぷ圧調節アーム９２の一端側を支軸９３にて揺動可能に軸支し、脱ぷ圧調節アーム９２の中間に可動軸９４を介して他方の脱ぷローラ３０を回動可能に軸支し、脱ぷ圧調節アーム９２の他端側に脱ぷ圧調節ネジ軸９５を連結している。脱ぷ圧調節ネジ軸９５に操作つまみ９６を設け、操作つまみ９６の回転操作にて脱ぷ圧調節ネジ軸９５を回転させ、支軸９３回りに脱ぷ圧調節アーム９２を揺動させ、固定軸９１上の一方の脱ぷローラ３０に対して可動軸９４上の他方の脱ぷローラ３０を接離させ、一対の脱ぷローラ３０の籾摺り間隔（脱ぷ圧力）を調節するように構成している。
【００４４】
なお、脱ぷケース８０に受圧アーム９７を回動可能に軸支し、受圧アーム９７に脱ぷ圧調節ネジ軸９５を支持させると共に、受圧アーム９７に当接させる展開カム９８と、展開カム９８を操作する展開レバー９９を設け、展開レバー９９の操作にて展開カム９８を回転して、固定軸９１上の一方の脱ぷローラ３０に対して可動軸９４上の他方の脱ぷローラ３０を離反させる方向に、脱ぷ圧調節ネジ軸９５を移動させ、前記一方の脱ぷローラ３０に対して可動軸９４上の他方の脱ぷローラ３０が大きく離反する位置に脱ぷ圧調節アーム９２を支持し、各脱ぷローラ３０が摩耗したときに、摩耗していない脱ぷローラ３０と交換するように構成している。
【００４５】
一方、脱ぷ駆動プーリ２８と脱ぷ従動プーリ３１に掛け回す脱ぷ駆動ベルト２９を緊張させるテンションプーリ１１１を備える。脱ぷケース８０に支点軸１１２を介してテンションアーム１１３の一端側を回動可能に軸支し、テンションアーム１１３の他端側にテンションプーリ１１１を回転自在に軸支する。また、脱ぷケース８０に軸受ブラケット１１４を締結固定し、軸受ブラケット１１４に支軸体１１５を回動可能に軸支する。支軸体１１５にロッド支持アーム１１６と連係アーム１１７を一体的に固着する。テンションアーム１１３とロッド支持アーム１１６に、テンションバネ１１８にて伸長させる伸縮可能なテンション調節ロッド１１９の両端側を、係合ピン体１２０，１２１にて連結する。伸縮可能なテンション調節ロッド１１９にテンションバネ１１８を巻装している。
【００４６】
即ち、テンションバネ１１８にてテンション調節ロッド１１９を伸長させ、テンションプーリ１１１にて脱ぷ駆動ベルト２９を緊張させるように構成している。加えて、脱ぷ圧調節アーム９２と連係アーム１１７に、連係ロッド１２２の両端側を、係合ピン体１２３，１２４にて連結している。したがって、操作つまみ９６の回転操作にて脱ぷ圧調節ネジ軸９５を回転させ、支軸９３回りに脱ぷ圧調節アーム９２を揺動させ、固定軸９１上の一方の脱ぷローラ３０に対して可動軸９４上の他方の脱ぷローラ３０を接離させ、一対の脱ぷローラ３０の籾摺り間隔（脱ぷ圧力）を調節したときに、脱ぷ圧調節アーム９２の揺動にて連係ロッド１２２を介して、テンション調節ロッド１１９が押し引き作動される。
【００４７】
その結果、操作つまみ９６の回転操作にて一対の脱ぷローラ３０の籾摺り間隔（脱ぷ圧力）を調節したときに、脱ぷ駆動ベルト２９の緊張力が変化するように、脱ぷ圧調節アーム９２の揺動にて脱ぷ従動プーリ３１が脱ぷ駆動プーリ２８に接離するが、操作つまみ９６の回転操作に連動して、テンションプーリ１１１（テンションアーム１１３）が変位し、脱ぷ駆動ベルト２９の緊張力が所定値に維持されることになる。
【００４８】
図１、図１４〜図２０に示す如く、ベルト伝達機構としての脱ぷ駆動ベルト２９を介して駆動する一対の脱ぷローラ３０と、一方の脱ぷローラ３０に対してもう一方の脱ぷローラ３０を接離させる脱ぷリンク機構としての脱ぷ圧調節アーム９２を備え、前記各脱ぷローラ３０にて籾から籾殻を取除いて玄米に仕上げる穀物調整装置において、脱ぷ圧調節アーム９２に脱ぷ駆動ベルト２９のテンション調節部材としてのテンション調節ロッド１１９を連結させ、脱ぷ圧調節アーム９２の脱ぷ圧調節操作にて脱ぷ駆動ベルト２９のテンションを調節可能に構成したものであるから、脱ぷ駆動ベルト２９のテンションを一定に保ちながら前記脱ぷローラ３０の脱ぷ圧を調節できる。脱ぷローラ３０の脱ぷ圧を調節操作するときに、それに対応して、テンション調節ロッド１１９を操作する必要がない。脱ぷ圧調節操作性を向上できる。テンション調節ロッド１１９の操作を忘れるなどの不具合をなくし、脱ぷローラ３０の脱ぷ機能を適正に維持できる。
【００４９】
図１５〜図２０に示す如く、テンション調節部材としてテンションプーリ１１１とテンションアーム１１３とテンション調節ロッド１１９を備え、テンションアーム１１３にテンション調節ロッド１１９の一端側を連結させると共に、テンション調節ロッド１１９の他端側に、操作リンク体としてのロッド支持アーム１１６及び連係アーム１１７を介してテンション操作ロッド１１９の一端側を連結させ、テンション操作ロッド１１９の他端側に脱ぷ圧調節アーム９２を連結させたものであるから、テンション操作ロッド１１９とロッド支持アーム１１６及び連係アーム１１７にて、ベルト伝達機構としての脱ぷ駆動ベルト２９のテンション調節と、脱ぷローラ３０の脱ぷ圧調節を連動させる構造を簡単に構成できる。
【００５０】
図１８〜図２０に示す如く、伸縮可能なテンション調節ロッド１１９にテンションバネ１１８を巻装して、テンションバネ１１８力にてテンションアーム１１３を弾圧可能に構成したものであるから、ベルト伝達機構としての脱ぷ駆動ベルト２９の脱ぷ駆動ベルト２９緊張力をテンションバネ１１８にて安定して得ることができ、経時的な脱ぷ駆動ベルト２９の伸長などにも容易に対処できる。
【符号の説明】
【００５１】
１  投入台
３  石抜き機
４  籾摺機
５  精米機
９  投入開口
１３  調整昇降機
２９  脱ぷ駆動ベルト（ベルト伝達機構）
３０  脱ぷローラ
５０  衝立体
６１  投入台用機台フレーム体
６２  石抜き機用機台フレーム体
６３  籾摺精米用機台フレーム体
６４  投入昇降機用機台フレーム体
６５  調整昇降機用機台フレーム体
６６  原動機用機台フレーム体
９２  脱ぷ圧調節アーム（脱ぷリンク機構）
１１１  テンションプーリ（テンション調節部材）
１１３  テンションアーム（テンション調節部材）
１１６  ロッド支持アーム（操作リンク体）
１１７  連係アーム（操作リンク体）
１１８  テンションバネ
１１９  テンション調節ロッド（テンション調節部材）
【図１】
2015058389.tif 000003
【図２】
2015058389.tif 000004
【図３】
2015058389.tif 000005
【図４】
2015058389.tif 000006
【図５】
2015058389.tif 000007
【図６】
2015058389.tif 000008
【図７】
2015058389.tif 000009
【図８】
2015058389.tif 000010
【図９】
2015058389.tif 000011
【図１０】
2015058389.tif 000012
【図１１】
2015058389.tif 000013
【図１２】
2015058389.tif 000014
【図１３】
2015058389.tif 000015
【図１４】
2015058389.tif 000016
【図１５】
2015058389.tif 000017
【図１６】
2015058389.tif 000018
【図１７】
2015058389.tif 000019
【図１８】
2015058389.tif 000020
【図１９】
2015058389.tif 000021
【図２０】
2015058389.tif 000022